(57)【要約】【課題】無線通信システムの利用効率を低下させることなく、要求された伝送速度を確保する。【解決手段】基地局４２、５２は、基地局機能毎のリソース利用状況を示す基地局情報を取得し、マルチリンク通信装置３０に送信する。マルチリンク端末１０は、ユーザが利用するサービスの要求条件、及び当該マルチリンク端末の動作状況を示す端末情報をマルチリンク通信装置３０に送信する。マルチリンク通信装置３０は、基地局情報、サービスの要求条件及び端末情報に基づいて、利用可能な無線通信システム及び無線リンク数を決定し、マルチリンク端末１０に通知する。マルチリンク端末１０とマルチリンク通信装置３０とは、利用可能な無線通信システム及び無線リンク数に基づいて、基地局４２、５２を介してマルチリンク通信を行う。【選択図】図１
2008245031.tif 000002
【特許請求の範囲】
【請求項１】
複数の無線通信システムと通信可能なマルチリンク端末と、複数の異なる無線通信システムとして動作可能な基地局と、複数の無線通信システムと相互接続可能なマルチリンク通信装置とからなるマルチリンク通信システムにおいて、
前記基地局は、
１つ以上の無線通信システムの基地局機能を動作させる基地局機能手段と、
前記基地局機能手段により動作する基地局機能毎のリソース利用状況を示す基地局情報を取得する基地局情報取得手段と、
前記基地局情報取得手段により取得される基地局情報を、前記マルチリンク通信装置に送信する基地局情報通信手段とを具備し、
前記マルチリンク端末は、
ユーザが利用するサービスの要求条件を取得し、前記マルチリンク通信装置に送信するサービス要求条件取得手段と、
当該マルチリンク端末の動作状況を示す端末情報を取得し、前記マルチリンク通信装置に送信する端末情報通知手段と、
通知される利用可能な無線通信システム及び無線リンク数に基づいて、前記基地局を介して前記マルチリンク通信装置とマルチリンク通信を行うマルチリンク通信手段とを具備し、
前記マルチリンク通信装置は、
前記基地局情報、前記サービスの要求条件及び前記端末情報を受信する受信手段と、
前記受信手段により受信された基地局情報を記憶する基地局情報管理テーブルと、
前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定手段と、
前記利用可能な無線通信システムと無線リンク数とに基づいて、前記基地局を介して前記マルチリンク端末とマルチリンク通信を行うマルチリンク通信手段とを具備する
ことを特徴とするマルチリンク通信システム。
【請求項２】
前記マルチリンク通信装置は、
前記無線リンク決定手段により決定された無線通信システムに基づいて、サービス提供の可否を判定するサービス提供可否判定手段と、
前記サービス提供可否判定手段によるサービス提供の可否判定結果に基づいて、前記基地局に基地局機能の一部、あるいは全部の変更、または追加を要求する基地局機能変更追加要求手段を更に具備し、
前記基地局は、
前記マルチリンク通信装置からの基地局機能の変更または追加要求に基づいて、基地局機能の一部または全部を変更、または追加するリソース管理手段を更に具備する
ことを特徴とする請求項１記載のマルチリンク通信システム。
【請求項３】
複数の無線通信システムと通信可能なマルチリンク端末と、複数の異なる無線通信システムとして動作可能な基地局と、複数の無線通信システムと相互接続可能なマルチリンク通信装置とからなるマルチリンク通信システムのマルチリンク通信方法において、
前記基地局は、
１つ以上の無線通信システムの基地局機能を動作させる基地局機能ステップと、
前記基地局機能毎のリソース利用状況を示す基地局情報を取得する基地局情報取得ステップと、
前記基地局情報を、前記マルチリンク通信装置に送信する基地局情報通信ステップとを含み、
前記マルチリンク端末は、
ユーザが利用するサービスの要求条件を取得し、前記マルチリンク通信装置に送信するサービス要求条件取得ステップと、
当該マルチリンク端末の動作状況を示す端末情報を取得し、前記マルチリンク通信装置に送信する端末情報通知ステップと、
通知される利用可能な無線通信システム及び無線リンク数に基づいて、前記基地局を介して前記マルチリンク通信装置とマルチリンク通信を行うマルチリンク通信ステップとを含み、
前記マルチリンク通信装置は、
前記基地局情報、前記サービスの要求条件及び前記端末情報を受信する受信ステップと、
前記受信された基地局情報を基地局情報管理テーブルに記憶する基地局情報管理ステップと、
前記受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定ステップと、
前記利用可能な無線通信システムと無線リンク数とに基づいて、前記基地局を介して前記マルチリンク端末とマルチリンク通信を行うマルチリンク通信ステップとを含むことを特徴とするマルチリンク通信方法。
【請求項４】
複数の異なる無線通信システムとして動作可能な基地局を介して複数の無線通信システムと相互接続し、複数の無線通信システムと通信可能なマルチリンク端末とマルチリンク通信を行うマルチリンク通信装置において、
前記基地局で取得される、１つ以上の無線通信システムでの動作を可能にするための基地局機能毎のリソース利用状況を示す基地局情報、前記マルチリンク端末で取得される、ユーザが利用するサービスの要求条件、及び前記マルチリンク端末の動作状況を示す端末情報とを受信する受信手段と、
前記受信手段により受信された基地局情報を記憶する基地局情報管理テーブルと、
前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定手段と、
前記利用可能な無線通信システムと無線リンク数とに基づいて、前記基地局を介して前記マルチリンク端末とマルチリンク通信を行うマルチリンク通信手段とを具備することを特徴とするマルチリンク通信装置。
【請求項５】
前記マルチリンク通信装置は、
前記無線リンク決定手段により決定された無線通信システムに基づいて、サービス提供の可否を判定するサービス提供可否判定手段と、
前記サービス提供可否判定手段によるサービス提供の可否判定結果に基づいて、前記基地局に基地局機能の一部、あるいは全部の変更、または追加を要求する基地局機能変更追加要求手段を更に具備し、
前記マルチリンク通信装置による変更または追加要求に基づいて、前記基地局の基地局機能の一部または全部を変更、または追加させることを特徴とする請求項４記載のマルチリンク通信装置。
【請求項６】
複数の無線通信システムと通信可能なマルチリンク端末と、複数の異なる無線通信システムの基地局として動作可能な基地局と、複数の無線通信システムと相互接続可能なマルチリンク通信装置とからなる通信システムのマルチリンク通信システム管理方法において、
前記基地局で取得される、１つ以上の無線通信システムでの動作を可能にするための基地局機能毎のリソース利用状況を示す基地局情報、前記マルチリンク端末で取得される、ユーザが利用するサービスの要求条件、及び前記マルチリンク端末の動作状況を示す端末情報とを受信する受信ステップと、
前記受信された基地局情報を基地局情報管理テーブルに記憶する基地局情報管理ステップと、
前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定ステップと、
前記利用可能な無線通信システムと無線リンク数とに基づいて、前記基地局を介して前記マルチリンク端末とマルチリンク通信を行うマルチリンク通信ステップと
を含むことを特徴とするマルチリンク通信システム管理方法。
【請求項７】
複数の無線通信システムと通信可能なマルチリンク端末と、複数の無線通信システムと相互接続可能なマルチリンク通信装置との間のマルチリンク通信を仲介する、複数の異なる無線通信システムの基地局として動作可能なマルチリンク通信基地局において、
１つ以上の無線通信システムの基地局機能を動作させる基地局機能手段と、
前記基地局機能手段により動作する基地局機能毎のリソース利用状況を示す基地局情報を取得する基地局情報取得手段と、
前記基地局情報取得手段により取得される基地局情報を、前記マルチリンク通信装置に送信する基地局情報通信手段と
を具備することを特徴とするマルチリンク通信基地局。
【請求項８】
前記マルチリンク通信装置からの基地局機能の変更または追加要求に基づいて、基地局機能の一部または全部を変更、または追加するリソース管理手段を更に具備することを特徴とする請求項７記載のマルチリンク通信基地局。
【請求項９】
複数の異なる無線通信システムの基地局として動作可能な基地局を介して、複数の無線通信システムと相互接続可能なマルチリンク通信装置とマルチリンク通信を行う複数の無線通信システムと通信可能なマルチリンク端末であって、
ユーザが利用するサービスの要求条件を取得し、前記マルチリンク通信装置に送信するサービス要求条件取得手段と、
当該マルチリンク端末の動作状況を示す端末情報を取得し、前記マルチリンク通信装置に送信する端末情報通知手段と、
通知される利用可能な無線通信システム及び無線リンク数に基づいて、前記基地局を介して前記マルチリンク通信装置とマルチリンク通信を行うマルチリンク通信手段と
を具備することを特徴とするマルチリンク端末。
【発明の詳細な説明】
【技術分野】
【０００１】
本発明は、通信を行う際に、同一、或いは異なる無線通信システムの複数の無線通信リンクを利用するマルチリンク通信を行うマルチリンク通信システム、マルチリンク通信装置、マルチリンク通信システム管理方法、マルチリンク通信基地局、及びマルチリンク端末に関する。
【背景技術】
【０００２】
複数の通信リンクを利用したマルチリンク通信プロトコルとして、Ｔｈｅ  ＰＰＰ  ｍｕｌｔｉｌｉｎｋ  Ｐｒｏｔｏｃｏｌ（MP、RFC 1990）や、ＨＤＬＣ（High-level Data link Control Procedure, ISO 7766）などのマルチリンク手順が知られている。ＭＰ（Multilink PPP）は、複数のリンクを仮想的な１つのリンクとして見立てることで、バンド幅の広い通信を実現する。ＰＰＰ（Point to Point Protocol）は、１対１の通信を行うためのデータリンク層の通信プロトコルであり、複数のリンクを１つのリンクとしてみなす仕様も規定されている。
【０００３】
ＨＤＬＣは、ビット単位で処理を行うため、ベーシック手順に比べ、高速性、信頼性、透過性に優れている。ＨＤＬＣのマルチリンク手順は、マルチリンク用のフレームを利用し、ネットワーク層とＳＬＰ（Single Link Procedure）間で送受信制御を行う。
【０００４】
さらに、高速データを複数のチャネルに分割して伝送する方式であるＩｎｖｅｒｓｅ  Ｍｕｌｔｉｐｌｅｘｉｎｇ（I-MUX）がある。該Ｉ−ＭＵＸを利用し、複数の異なる無線通信システムを利用したマルチリンク通信方法が知られている（例えば、非特許文献１参照）。
【０００５】
図１４は、従来技術による、マルチリンク無線通信システムの構成例を示すブロック図である。図１４において、マルチリンク端末１は、基地局４１を介して無線通信システム（Ａ）４と、基地局５１を介して無線通信システム（Ｂ）５とを用いて、インターネット２上に配置されたマルチリンク通信装置３とマルチリンク通信を行う。
【０００６】
図１５は、従来のマルチリンク通信を行う際のマルチリンク端末１の動作を説明するためのフローチャートである。マルチリンク端末１は、まず、サービス開始の要求があったか否かを判定する（ステップＳ１０２０）。そして、サービス開始要求が存在する場合には、マルチリンク端末は、マルチリンク通信開始要求をマルチリンク通信装置３に送信する（ステップＳ１０２２）。次に、マルチリンク端末１は、マルチリンク通信装置３からのマルチリンク通信開始要求に対する応答を受信したか否かを判定する（ステップＳ１０２４）。そして、マルチリンク通信開始要求に対する応答を受信した場合には、マルチリンク端末１は、複数の無線リンクを利用し、マルチリンク通信装置３とマルチリンク通信を行う（ステップＳ１０２６）。
【０００７】
図１６は、従来のマルチリンク通信のマルチリンク通信装置３の動作を説明するためのフローチャートである。マルチリンク通信装置３は、マルチリンク端末１が送信したマルチリンク通信開始要求を受信したか否かを判定する（ステップＳ１０４０）。そして、マルチリンク通信開始要求を受信した場合には、マルチリンク端末１とマルチリンクを行う際の無線リンクの設定を行い（ステップＳ１０４２）、マルチリンク端末１に対してマルチリンク通信開始要求応答を送信する（ステップＳ１０４４）。次に、マルチリンク端末１と複数の無線リンクを利用して、マルチリンク通信を行う（ステップＳ１０４６）。
【非特許文献１】岡ノ上  和広、中田  恒夫、須田  幸憲、小野  真裕、野口  裕介、山崎  俊太郎，“移動体インターネット（１）−基本コンセプトとシステム構成−”，電子情報通信学会２００４年総合大会，Ｂ−５−１６３，２００４年、ｐｐ．６５０
【発明の開示】
【発明が解決しようとする課題】
【０００８】
ところで、現在、多数の無線通信システムが存在し、無線通信システムの高速化が行われている。一方、無線サービスは、帯域保証型サービスや、ベストエフォート型サービス、リアルタイム型サービス、ノンリアルタイム型サービスなどのように、要求条件に応じて分類され、多様化している。
【０００９】
一般的に、高速な無線通信システムでは、カバーエリアが狭く、ユーザは、高速な無線通信システムを常に利用することは難しい。そこで、通信速度を向上させることが可能な技術として、上述したマルチリンク通信技術を用いる。マルチリンク通信技術は、複数の通信リンクを多重することで、伝送速度の向上を図る技術である。例えば、移動体ユーザが固定通信網にアクセスする物理的手段として、３Ｇ携帯電話、ＰＨＳ（パーソナル・ハンディホン・システム）、無線ＬＡＮ（Local Area Network）などがあるが、それぞれの通信速度は固定網に比して大きくない。そこで、移動体環境で利用可能なあらゆる無線チャネル（３Ｇ、ＰＨＳ、無線ＬＡＮなど）を組み合わせてひとつの通信路として利用することで、大きな通信速度を達成することが考えられる。
【００１０】
しかしながら、マルチリンク通信技術は、マルチリンク通信装置とユーザ端末との間で終端されるため、通信開始時に要求された伝送速度が必ずしも確保できるわけではないといった問題を生じる。また、ユーザの要求以上に無線通信リンクを多重化した場合、回線交換型の無線通信システムでは、無線通信システムの利用効率を低下させるといった問題も生じる。このように、無線通信の場合は、通信チャネルを複数まとめても、所望の通信速度が達成できるとは限らない。
【００１１】
本発明は、このような事情を考慮してなされたものであり、その目的は、無線通信システムの利用効率を低下させることなく、要求された伝送速度を確保することができるマルチリンク通信システム、マルチリンク通信装置、マルチリンク通信システム管理方法、マルチリンク通信基地局、及びマルチリンク端末を提供することにある。
【課題を解決するための手段】
【００１２】
上述した課題を解決するために、本発明は、複数の無線通信システムと通信可能なマルチリンク端末と、複数の異なる無線通信システムとして動作可能な基地局と、複数の無線通信システムと相互接続可能なマルチリンク通信装置とからなるマルチリンク通信システムにおいて、前記基地局は、１つ以上の無線通信システムの基地局機能を動作させる基地局機能手段と、前記基地局機能手段により動作する基地局機能毎のリソース利用状況を示す基地局情報を取得する基地局情報取得手段と、前記基地局情報取得手段により取得される基地局情報を、前記マルチリンク通信装置に送信する基地局情報通信手段とを具備し、前記マルチリンク端末は、ユーザが利用するサービスの要求条件を取得し、前記マルチリンク通信装置に送信するサービス要求条件取得手段と、当該マルチリンク端末の動作状況を示す端末情報を取得し、前記マルチリンク通信装置に送信する端末情報通知手段と、通知される利用可能な無線通信システム及び無線リンク数に基づいて、前記基地局を介して前記マルチリンク通信装置とマルチリンク通信を行うマルチリンク通信手段とを具備し、前記マルチリンク通信装置は、前記基地局情報、前記サービスの要求条件及び前記端末情報を受信する受信手段と、前記受信手段により受信された基地局情報を記憶する基地局情報管理テーブルと、前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定手段と、前記利用可能な無線通信システムと無線リンク数とに基づいて、前記基地局を介して前記マルチリンク端末とマルチリンク通信を行うマルチリンク通信手段とを具備することを特徴とするマルチリンク通信システムである。
【００１３】
本発明は、上記の発明において、前記マルチリンク通信装置は、前記無線リンク決定手段により決定された無線通信システムに基づいて、サービス提供の可否を判定するサービス提供可否判定手段と、前記サービス提供可否判定手段によるサービス提供の可否判定結果に基づいて、前記基地局に基地局機能の一部、あるいは全部の変更、または追加を要求する基地局機能変更追加要求手段を更に具備し、前記基地局は、前記マルチリンク通信装置からの基地局機能の変更または追加要求に基づいて、基地局機能の一部または全部を変更、または追加するリソース管理手段を更に具備することを特徴とする。
【００１４】
また、上述した課題を解決するために、本発明は、複数の無線通信システムと通信可能なマルチリンク端末と、複数の異なる無線通信システムとして動作可能な基地局と、複数の無線通信システムと相互接続可能なマルチリンク通信装置とからなるマルチリンク通信システムのマルチリンク通信方法において、前記基地局は、１つ以上の無線通信システムの基地局機能を動作させる基地局機能ステップと、前記基地局機能毎のリソース利用状況を示す基地局情報を取得する基地局情報取得ステップと、前記基地局情報を、前記マルチリンク通信装置に送信する基地局情報通信ステップとを含み、前記マルチリンク端末は、ユーザが利用するサービスの要求条件を取得し、前記マルチリンク通信装置に送信するサービス要求条件取得ステップと、当該マルチリンク端末の動作状況を示す端末情報を取得し、前記マルチリンク通信装置に送信する端末情報通知ステップと、通知される利用可能な無線通信システム及び無線リンク数に基づいて、前記基地局を介して前記マルチリンク通信装置とマルチリンク通信を行うマルチリンク通信ステップとを含み、前記マルチリンク通信装置は、前記基地局情報、前記サービスの要求条件及び前記端末情報を受信する受信ステップと、前記受信された基地局情報を基地局情報管理テーブルに記憶する基地局情報管理ステップと、前記受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定ステップと、前記利用可能な無線通信システムと無線リンク数とに基づいて、前記基地局を介して前記マルチリンク端末とマルチリンク通信を行うマルチリンク通信ステップとを含むことを特徴とするマルチリンク通信方法である。
【００１５】
また、上述した課題を解決するために、本発明は、複数の異なる無線通信システムとして動作可能な基地局を介して複数の無線通信システムと相互接続し、複数の無線通信システムと通信可能なマルチリンク端末とマルチリンク通信を行うマルチリンク通信装置において、前記基地局で取得される、１つ以上の無線通信システムでの動作を可能にするための基地局機能毎のリソース利用状況を示す基地局情報、前記マルチリンク端末で取得される、ユーザが利用するサービスの要求条件、及び前記マルチリンク端末の動作状況を示す端末情報とを受信する受信手段と、前記受信手段により受信された基地局情報を記憶する基地局情報管理テーブルと、前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定手段と、前記利用可能な無線通信システムと無線リンク数とに基づいて、前記基地局を介して前記マルチリンク端末とマルチリンク通信を行うマルチリンク通信手段とを具備することを特徴とするマルチリンク通信装置である。
【００１６】
本発明は、上記の発明において、前記マルチリンク通信装置は、前記無線リンク決定手段により決定された無線通信システムに基づいて、サービス提供の可否を判定するサービス提供可否判定手段と、前記サービス提供可否判定手段によるサービス提供の可否判定結果に基づいて、前記基地局に基地局機能の一部、あるいは全部の変更、または追加を要求する基地局機能変更追加要求手段を更に具備し、前記マルチリンク通信装置による変更または追加要求に基づいて、前記基地局の基地局機能の一部または全部を変更、または追加させることを特徴とする。
【００１７】
また、上述した課題を解決するために、本発明は、複数の無線通信システムと通信可能なマルチリンク端末と、複数の異なる無線通信システムの基地局として動作可能な基地局と、複数の無線通信システムと相互接続可能なマルチリンク通信装置とからなる通信システムのマルチリンク通信システム管理方法において、前記基地局で取得される、１つ以上の無線通信システムでの動作を可能にするための基地局機能毎のリソース利用状況を示す基地局情報、前記マルチリンク端末で取得される、ユーザが利用するサービスの要求条件、及び前記マルチリンク端末の動作状況を示す端末情報とを受信する受信ステップと、前記受信された基地局情報を基地局情報管理テーブルに記憶する基地局情報管理ステップと、前記受信手段により受信された、前記サービスの要求条件と前記端末情報、及び前記基地局情報管理テーブルに記憶されている基地局情報に基づいて、利用可能な無線通信システム及び無線リンク数を決定し、前記マルチリンク端末に通知する無線リンク決定ステップと、前記利用可能な無線通信システムと無線リンク数とに基づいて、前記基地局を介して前記マルチリンク端末とマルチリンク通信を行うマルチリンク通信ステップとを含むことを特徴とするマルチリンク通信システム管理方法である。
【００１８】
また、上述した課題を解決するために、本発明は、複数の無線通信システムと通信可能なマルチリンク端末と、複数の無線通信システムと相互接続可能なマルチリンク通信装置との間のマルチリンク通信を仲介する、複数の異なる無線通信システムの基地局として動作可能なマルチリンク通信基地局において、１つ以上の無線通信システムの基地局機能を動作させる基地局機能手段と、前記基地局機能手段により動作する基地局機能毎のリソース利用状況を示す基地局情報を取得する基地局情報取得手段と、前記基地局情報取得手段により取得される基地局情報を、前記マルチリンク通信装置に送信する基地局情報通信手段とを具備することを特徴とするマルチリンク通信基地局である。
【００１９】
本発明は、上記の発明において、前記マルチリンク通信装置からの基地局機能の変更または追加要求に基づいて、基地局機能の一部または全部を変更、または追加するリソース管理手段を更に具備することを特徴とする。
【００２０】
また、上述した課題を解決するために、本発明は、複数の異なる無線通信システムの基地局として動作可能な基地局を介して、複数の無線通信システムと相互接続可能なマルチリンク通信装置とマルチリンク通信を行う複数の無線通信システムと通信可能なマルチリンク端末であって、ユーザが利用するサービスの要求条件を取得し、前記マルチリンク通信装置に送信するサービス要求条件取得手段と、当該マルチリンク端末の動作状況を示す端末情報を取得し、前記マルチリンク通信装置に送信する端末情報通知手段と、通知される利用可能な無線通信システム及び無線リンク数に基づいて、前記基地局を介して前記マルチリンク通信装置とマルチリンク通信を行うマルチリンク通信手段とを具備することを特徴とするマルチリンク端末である。
【発明の効果】
【００２１】
この発明によれば、基地局は、１つ以上の無線通信システムの基地局機能を動作させ、該動作する基地局機能毎のリソース利用状況を示す基地局情報を取得し、マルチリンク通信装置に送信する。マルチリンク端末は、ユーザが利用するサービスの要求条件を取得してマルチリンク通信装置に送信し、当該マルチリンク端末の動作状況を示す端末情報を取得してマルチリンク通信装置に送信する。マルチリンク通信装置は、基地局情報、サービスの要求条件及び端末情報を受信し、受信された基地局情報を基地局情報管理テーブルに記憶し、受信されたサービスの要求条件と端末情報、及び基地局情報管理テーブルに記憶されている基地局情報に基づいて、利用可能な無線通信システム及び無線リンク数を決定し、マルチリンク端末に通知する。マルチリンク端末とマルチリンク通信装置とは、利用可能な無線通信システム及び無線リンク数に基づいて、基地局を介してマルチリンク通信を行う。したがって、無線通信システムの利用効率を低下させることなく、要求された伝送速度を確保することができるという利点が得られる。
【００２２】
また、本発明によれば、マルチリンク通信装置は、決定された無線通信システムに基づいて、サービス提供の可否を判定し、該サービス提供の可否判定結果に基づいて、基地局に基地局機能の一部、あるいは全部の変更、または追加を要求し、基地局は、マルチリンク通信装置からの変更または追加要求に基づいて、基地局機能の一部または全部を変更、または追加する。したがって、無線通信システムの利用状況に応じた無線リンクを確保することができ、無線通信システムの利用効率を低下させることなく、要求された伝送速度を確保することができるという利点が得られる。
【発明を実施するための最良の形態】
【００２３】
以下、本発明の一実施形態を、図面を参照して説明する。
【００２４】
Ａ．第１実施形態
図１は、本第１実施形態による、無線通信システムＡと無線通信システムＢとが利用可能なマルチリンク通信システムの構成例を示すブロック図である。マルチリンク通信装置３０は、無線通信システム（Ａ）４の基地局４２、あるいは無線通信システム（Ａ）の複数の基地局を管理する制御局４０と、無線通信システム（Ｂ）５の基地局５２、あるいは無線通信システム（Ｂ）５の複数の基地局を管理する制御局５０と相互接続されており、相互通信が可能である。
【００２５】
図２は、本第１実施形態による基地局４２、５２の一構成例を示すブロック図である。図２において、基地局機能手段５０４は、無線通信システムの基地局機能として動作し、専用のハードウェアで構成されてもよいし、ソフトウェアの変更で無線方式を変更できるソフトウェア無線で構成されてもよい。基地局機能手段５０４は、無線区間からの信号を処理し、ネットワークインタフェース５０８を介してネットワークに送信する。基地局情報取得手段５０２は、基地局機能手段５０４で運用されている基地局から、スループットや、フレーム誤り率、最大基地局収容能力などを取得し、基地局情報通信手段５０６に通知する。
【００２６】
ハードウェアリソース管理手段（リソース管理手段）５００は、基地局機能手段５０４を構成するハードウェアリソースと実際に稼動しているハードウェアリソース量などを観測し、観測結果を基地局情報通信手段５０６に通知する。基地局情報通信手段５０６は、基地局情報を、ネットワークインタフェース５０８を介して図１に示すマルチリンク通信装置３０に送信する。また、基地局情報通信手段５０６は、図１に示すマルチリンク通信装置３０の要求に応じて、基地局機能手段５０４の機能変更や、追加、チャネルの予約などを行う。
【００２７】
次に、図３は、本第１実施形態によるマルチリンク通信装置３０の一構成例を示すブロック図である。図３において、ネットワークインタフェース６０４は、データの入出力を行う。マルチリンク通信手段（受信手段）６０２は、サービスデータの入出機能を備え、フレームの分割や多重、マルチリンクフレームの構成、シーケンス番号の管理などといったマルチリンク通信を行う。
【００２８】
無線リンク決定手段（無線リンク決定手段、サービス提供可否判定手段、基地局機能変更追加要求手段）６００は、基地局情報管理テーブル６０８に保持された基地局情報とユーザの端末情報とサービスの要求条件とを基にマルチリンク通信を行う際の無線リンク（利用する無線通信システムと無線リンク数）の決定を行い、決定された無線リンクの組み合わせを、無線基地局通信手段６０６に通知する。無線基地局通信手段６０６は、図１に示す基地局４２、５２から受信した基地局情報を基地局情報管理テーブル６０８に書き込む。基地局情報管理テーブル６０８は、基地局情報の一元管理を行うデータベースである。
【００２９】
次に、図４は、本第１実施形態によるマルチリンク端末１０の一構成例を示すブロック図である。図４において、無線通信デバイス７０２は、無線信号を送受信し、複数の無線通信システムに対応する能力を有している。サービス品質解析手段（サービス要求条件取得手段）７０６は、サービス開始要求がマルチリンク通信手段７０４に入力された際に、マルチリンク通信手段７０４の要求に応じて実行され、サービス品質の解析を行い、要求条件をマルチリンク通信手段７０４に通知する。
【００３０】
端末情報通知手段７００は、無線通信デバイス７０２で稼動している無線通信システムの情報をマルチリンク通信手段７０４に通知する。マルチリンク通信手段７０４は、サービスデータの入出機能を備え、フレームの分割や多重、マルチリンクフレームの構成、シーケンス番号の管理といったマルチリンク通信を行う。また、マルチリンク通信手段７０４は、図１に示すマルチリンク通信装置３０に端末情報を通知するといった制御情報の通信も併せて行う。
【００３１】
なお、無線通信システムの基地局４２、５２、または、無線通信システムの制御局４０、５０がマルチリンク通信装置３０を兼ねてもよい。
【００３２】
次に、図５は、本第１実施形態によるマルチリンク端末１０の動作を説明するためのフローチャートである。マルチリンク端末１０は、サービス開始要求があったか否かを判定し（ステップＳ１２０）、サービス開始要求が発生した場合には、サービス品質解析手段７０６により、サービスの要求条件の解析を行い（ステップＳ１２２）、マルチリンク通信手段７０４により、マルチリンク通信装置３０にサービスの要求条件を通知する（ステップＳ１２４）。要求条件は、ベストエフォート型サービスや、帯域保証型サービス、高信頼型サービス、あるいはリアルタイム型サービスといったサービス種別、伝送速度、伝送遅延、あるいは遅延揺らぎ、フレーム誤り率、通信の信頼性といった項目であり、このうちの１つ、あるいは２つ以上の組み合わせである。
【００３３】
マルチリンク端末１０は、端末情報通知手段７００により、当該マルチリンク端末１０が通信可能な無線システムを特定する通信可能無線システム特定情報、あるいは当該マルチリンク端末１０で稼動している無線通信システムを特定する稼働無線システム特定情報、稼動している無線通信システムのスループット、あるいはフレーム誤り率、あるいは受信レベルのいずれか１つ、あるいは２つ以上からなる端末情報をマルチリンク通信装置３０に通知する（ステップＳ１２６）。
【００３４】
なお、上記通信可能無線システム特定情報とは、当該マルチリンク端末１０において現在稼動しているか否かにかかわらず、能力として通信可能な無線通信システムを特定する情報である。また、上記稼働無線システム特定情報とは、マルチリンク端末１０において、その時点で実際に通信が行われている無線通信システムを特定する情報である。なお、無線通信システムを特定する情報には、無線通信仕様を示す情報を用いることができ、これは、マルチリンク端末１０の備える無線通信デバイス７０２から得られる。
【００３５】
次に、マルチリンク端末１０は、マルチリンク通信装置３０からのマルチリンク通信開始要求の応答を受信したか否かを判定し（ステップＳ１２８）、マルチリンク通信開始応答を受信した場合には、マルチリンク通信装置３０からマルチリンク通信で使用する無線リンク、すなわち、使用する無線通信システムとその無線リンク数（帯域）が指定されたか否かを判定する（ステップＳ１３０）。そして、無線リンクが指定された場合には、マルチリンク通信の開始が成功となるので、マルチリンク端末１０は、マルチリンク通信手段７０４により、指定された無線リンクを用いて基地局４２または５２、あるいは、その両方にアクセスし、マルチリンク通信を実行する（ステップＳ１３２）。一方、無線リンクの指定が存在しない場合には、マルチリンク通信開始失敗となり（ステップＳ１３４）、終了となる。
【００３６】
次に、図６は、本第１実施形態による基地局４２、５２の動作を説明するためのフローチャートである。基地局４２、５２は、マルチリンク通信装置３０から基地局情報取得要求を受信したか否かを判定する（ステップＳ１５０）。そして、基地局情報取得要求を受信した場合には、基地局４２、５２は、基地局情報取得手段５０２により、運用している各基地局のスループット、あるいは収容ユーザ数、あるいは使用チャネル数、あるいは総チャネル数、あるいはフレーム誤り率、あるいは受信レベルや基地局の電力量、あるいは信号処理能力、あるいはメモリ量、あるいは入出力デバイス、あるいは高周波回路、あるいはアンテナなどのハードウェアリソースのいずれか１つ、あるいは２つ以上からなる利用状況を基地局情報として取得し、基地局情報通信手段５０６により、該基地局情報をマルチリンク通信装置３０に通知する（ステップＳ１５２）。
【００３７】
次に、基地局４２、５２は、マルチリンク通信装置３０から送信される無線リンク予約要求を受信した否かを判定する（ステップＳ１５４）。そして、無線リンク予約要求を受信した場合には、当該無線予約要求により示される無線通信システムの無線リンクを指定された数（帯域）だけ予約を行い（ステップＳ１５６）、予約の成否をマルチリンク通信装置３０に通知し（ステップＳ１５８）、終了となる。
【００３８】
次に、図７及び図８は、本第１実施形態によるマルチリンク通信装置３０の動作を説明するためのフローチャートである。マルチリンク通信装置３０は、マルチリンク端末１０からマルチリンク通信開始要求を受信したか否かを判定する（ステップＳ１７０）。そして、マルチリンク通信開始要求を受信した場合には、マルチリンク端末１０が利用するサービスの要求条件を受信する（ステップＳ１７２）。次に、マルチリンク通信装置３０は、マルチリンク端末１０から送信された端末情報を受信する（ステップＳ１７４）。
【００３９】
次に、基地局情報の更新が必要であるか否かを判定する（ステップＳ１７６）。基地局情報の更新の契機は、周期的に行う場合や、マルチリンク端末１０の要求をトリガーにして更新を行う場合が考えられる。そして、基地局情報の更新が必要である場合には、基地局４２、５２に基地局情報を要求し（ステップＳ１７８）、基地局情報を取得する（ステップＳ１８０）。次に、マルチリンク通信装置３０は、無線基地局通信手段６０６により、受信した基地局情報で示される情報により基地局情報管理テーブル６０８内の情報を更新する（ステップＳ１８２）。その後、ステップＳ１８４に進む。一方、更新の必要が無い場合には、直接、ステップＳ１８４に進む。
【００４０】
マルチリンク通信装置３０は、無線リンク決定手段６００により、基地局情報管理テーブル６０８から基地局情報を読み出し（ステップＳ１８４）、基地局情報、サービスの要求条件、及び端末情報を基にマルチリンク通信で利用する無線リンク、すなわち、利用する基地局と、無線通信システム及びその無線リンク数（帯域）の決定を行う（ステップＳ１８６）。次に、利用する無線リンクの決定結果からサービス提供の可否を判定する（ステップＳ１８８）。そして、サービスが提供できる場合には、マルチリンク通信装置３０は、基地局４２、５２へ、当該基地局において確保すべき無線リンク（無線通信システムとその無線リンク数）の情報を設定した無線リンク予約要求を送信し、無線リンクを予約する（ステップＳ１９０）。
【００４１】
次に、マルチリンク通信装置３０は、基地局４２、５２から通知される予約成否の通知により、無線リンクの予約に成功したか否かを判定し（ステップＳ１９２）、無線リンクの予約に成功した場合には、無線リンク決定手段６００により、マルチリンク通信で利用する無線リンクをマルチリンク端末１０に通知し（ステップＳ１９４）、マルチリンク通信手段６０２が、ユーザデータのマルチリンク伝送を行ってマルチリンク通信を実行し（ステップＳ１９６）、終了となる。
【００４２】
一方、ステップＳ１８８でサービスが提供できないと判定された場合、あるいは、ステップＳ１９２で無線リンク予約が失敗したと判定された場合には、マルチリンク端末１０にマルチリンク通信開始失敗を通知し（ステップＳ１９８）、終了となる。
【００４３】
Ｂ．第２実施形態
次に、本発明の第２実施形態について説明する。なお、各構成要件の構成は同様であるので説明を省略する。
【００４４】
図９は、本第２実施形態によるマルチリンク端末１０の動作を説明するためのフローチャートである。マルチリンク端末１０は、サービス開始要求があったか否かを判定し（ステップＳ３２０）、サービス開始要求が発生した場合には、サービス品質解析手段７０６により、サービスの要求条件の解析を行い（ステップＳ３２２）、マルチリンク通信手段７０４により、マルチリンク通信装置３０にサービスの要求条件を通知する（ステップＳ３２４）。要求条件は、ベストエフォート型サービスや、帯域保証型サービス、高信頼型サービス、あるいはリアルタイム型サービスといったサービス種別、伝送速度、伝送遅延、あるいは遅延揺らぎ、フレーム誤り率、通信の信頼性といった項目であり、このうちの１つ、あるいは２つ以上の組み合わせである。
【００４５】
マルチリンク端末１０は、端末情報通知手段７００により、当該マルチリンク端末１０が通信可能な無線システムを特定する通信可能無線システム特定情報、あるいは当該マルチリンク端末１０で稼動している無線通信システムを特定する稼働無線システム特定情報、稼動している無線通信システムのスループット、あるいはフレーム誤り率、あるいは受信レベルのいずれか１つ、あるいは２つ以上からなる端末情報をマルチリンク通信装置３０に通知する（ステップＳ３２６）。
【００４６】
次に、マルチリンク端末１０は、マルチリンク通信装置３０からのマルチリンク通信開始要求の応答を受信したか否かを判定し（ステップＳ３２８）、マルチリンク通信開始応答を受信した場合には、マルチリンク通信装置３０からマルチリンク通信で使用する無線リンク、すなわち、使用する無線通信システムとその無線リンク数（帯域）が指定されたか否かを判定する（ステップＳ３３０）。そして、無線リンクの指定が存在する場合には、マルチリンク通信の開始が成功となるので、マルチリンク端末１０は、マルチリンク通信手段７０４により、指定された無線リンクを用いて基地局４２または５２、あるいは、その両方にアクセスし、マルチリンク通信を実行する（ステップＳ３３２）。一方、無線リンクの指定が存在しない場合には、マルチリンク通信開始失敗となり（ステップＳ３３４）、終了となる。
【００４７】
次に、図１０は、本第２実施形態による基地局４２、５２の動作を説明するためのフローチャートである。基地局４２、５２は、マルチリンク通信装置３０から基地局情報取得要求を受信したか否かを判定する（ステップＳ３５０）。そして、基地局情報取得要求を受信した場合には、基地局４２、５２は、基地局情報取得手段５０２により、運用している各基地局のスループット、あるいは収容ユーザ数、あるいは使用チャネル数、あるいは総チャネル数、あるいはフレーム誤り率、あるいは受信レベルや基地局の電力量、あるいは信号処理能力、あるいはメモリ量、あるいは入出力デバイス、あるいは高周波回路、あるいはアンテナなどのハードウェアリソースのいずれか１つ、あるいは２つ以上からなる利用状況を基地局情報として取得し、基地局情報通信手段５０６により、マルチリンク通信装置３０に通知する（ステップＳ３５２）。
【００４８】
次に、基地局４２、５２は、マルチリンク通信装置３０から送信される無線リンク予約要求を受信した否かを判定する（ステップＳ３５４）。そして、無線リンク予約要求を受信した場合には、マルチリンク通信装置３０から基地局機能の変更要求、あるいは基地局機能の追加要求があったか否かを判定する（ステップＳ３５６）。そして、基地局機能の変更要求、あるいは追加要求があった場合には、要求に従って基地局機能の変更、或いは追加を行う（ステップＳ３５８）。
【００４９】
基地局４２、５２の基地局機能の変更／追加は、専用のハードウェアの起動や終了の制御、あるいはソフトウェア無線によるソフトウェアの変更で実現することができる。ここで、図１１（ａ）〜（ｄ）は、本第２実施形態による、基地局機能の構成例、及び基地局機能の変更例を説明するための概念図である。
【００５０】
図１１（ａ）には、基地局機能は、無線通信システム（Ａ）４の基地局４２、及び、無線通信システム（Ｂ）５の基地局５２として動作する専用ハードウェアで構成されている例を示している。また、図１１（ｂ）には、基地局機能が汎用プロセッサ等で構成され、ソフトウェアの変更で基地局機能の変更が可能な場合であり、基地局機能で、無線通信システム（Ａ）４の基地局４２と無線通信システム（Ｂ）５の基地局５２として動作するソフトウェアが実行されている例を示している。
【００５１】
図１１（ｃ）には、マルチリンク通信装置３０の要求により、現在使用されている無線システム（Ａ）４の基地局機能が無線システム（Ｂ）５の基地局機能に変更された例を示している。また、図１１（ｄ）には、無線システム（Ａ）４の基地局機能を実行しているときに、マルチリンク通信装置３０の要求により、基地局機能の空きリソース部分にさらに無線通信システム（Ａ）４の基地局機能が追加された例を示している。
【００５２】
その後、ステップＳ３６０に進む。一方、要求が行われていない場合には、変更／追加を行うことなく、ステップＳ３６０に進む。次に、基地局４２、５２は、無線リンクの予約を行い（ステップＳ３６０）、予約の成否をマルチリンク通信装置３０に通知し（ステップＳ３６２）、終了となる。
【００５３】
次に、図１２及び図１３は、本第２実施形態によるマルチリンク通信装置３０の動作を説明するためのフローチャートである。マルチリンク通信装置３０は、マルチリンク端末１０からマルチリンク通信開始要求を受信したか否かを判定する（ステップＳ３７０）。そして、マルチリンク通信開始要求を受信した場合には、マルチリンク端末１０が利用するサービスの要求条件を受信する（ステップＳ３７２）。次に、マルチリンク通信装置３０は、マルチリンク端末１０から送信された端末情報を受信する（ステップＳ３７４）。
【００５４】
次に、基地局情報の更新が必要であるか否かを判定する（ステップＳ３７６）。基地局情報の更新の契機は、周期的に行う場合や、マルチリンク端末１０の要求をトリガーに更新を行う場合が考えられる。そして、基地局情報の更新が必要である場合には、基地局４２、５２に基地局情報を要求し（ステップＳ３７８）、基地局情報を取得する（ステップＳ３８０）。次に、マルチリンク通信装置３０は、無線基地局通信手段６０６により、受信した基地局情報で示される情報により基地局情報管理テーブル６０８内の情報を更新する（ステップＳ３８２）。その後、ステップＳ１８４に進む。一方、更新の必要が無い場合は、直接、ステップＳ３８４に進む。
【００５５】
マルチリンク通信装置３０は、無線リンク決定手段６００により、基地局情報管理テーブル６０８から基地局情報を読み出し（ステップＳ３８４）、基地局情報、サービスの要求条件、及び端末情報を基にマルチリンク通信で利用する無線リンク、すなわち、利用する基地局と、無線通信システム及びその無線リンク数（帯域）の決定を行う（ステップＳ３８６）。次に、利用する無線リンクの決定結果からサービス提供の可否を判定する（ステップＳ３８８）。そして、サービスが提供できる場合には、マルチリンク通信装置３０は、サービス提供可否の判定結果に基づき、基地局４２、５２に対して基地局機能の変更、あるいは基地局機能の追加を要求する（ステップＳ３９０）。次に、基地局４２、５２へ、当該基地局において確保すべき無線リンク（無線通信システムとその無線リンク数）の情報を設定した無線リンク予約要求を送信し、無線リンクを予約する（ステップＳ３９２）。
【００５６】
次に、マルチリンク通信装置３０は、基地局４２、５２から通知される予約成否の通知により、無線リンクの予約に成功したか否かを判定し（ステップＳ３９４）、無線リンクの予約に成功した場合には、無線リンク決定手段６００により、マルチリンク通信で利用する無線リンクをマルチリンク端末１０に通知し（ステップＳ３９６）、マルチリンク通信手段６０２が、ユーザデータのマルチリンク伝送を行ってマルチリンク通信を実行し（ステップＳ３９８）、終了となる。
【００５７】
一方、ステップＳ３８８でサービスが提供できないと判定された場合、あるいは、ステップＳ３９４で無線リンク予約が失敗したと判定された場合には、マルチリンク端末１０にマルチリンク通信開始失敗を通知し（ステップＳ４００）、終了となる。
【００５８】
上述した第１、第２実施形態によれば、基地局４２、５２、或いは基地局４１、４２を管理する制御局４０、５０とマルチリンク通信装置３０を相互接続することにより、マルチリンク通信装置３０は、基地局４２、５２の利用状況や空きチャネルや処理能力を知ることが可能となる。そして、マルチリンク通信装置３０において、基地局４２、５２の利用状況を情報データベースで一元管理することで、ユーザの要求条件を満たし、無線設備を無駄なく利用する無線リンクの組み合わせを選択することが可能となる。さらに、マルチリンク通信装置３０と基地局４２、５２が相互接続されているため、マルチリンク通信装置３０による基地局４２、５２の制御が可能となる。
本実施の形態では、上記特徴に注目して、マルチリンク通信装置３０と基地局４２、５２或いは基地局を管理する制御局４０、５０が連携することにより、無線通信システムの利用状況を考慮し、ユーザの要求条件を満たす無線通信リンクの組み合わせを選択し、通信開始時に基地局４２、５２の無線リンクを予め確保してマルチリンク通信を実施している。
【００５９】
上述したように、第１、第２実施形態によれば、マルチリンク通信装置３０がサービスの要求条件や無線通信システムの利用状況や、端末情報を基にマルチリンク通信を行う際の無線リンクを選択し、使用する無線通信システムの基地局４２、５２の無線リンクを確保することで、無線通信システムの基地局４２、５２と連携したマルチリンク通信を実現することができる。これにより、ユーザの要求条件を満足し、無線通信システムの稼働率を向上させる無線リンクの組み合わせがマルチ通信開始前に決定されるため、帯域保証型サービスを初めとした多種多様なサービスの実行や、無線システムの柔軟な利用などが可能となる。
【００６０】
なお、上述したマルチリンク端末１０、マルチリンク通信装置３０、基地局４２、５２の各手段は、専用のハードウェアにより実現されるものであってもよく、また、このマルチリンク端末１０、マルチリンク通信装置３０、基地局４２、５２の各手段は、メモリおよびＣＰＵ（中央演算装置）により構成され、マルチリンク端末１０、マルチリンク通信装置３０、基地局４２、５２の機能を実現するためのプログラムをメモリにロードして実行することによりその機能を実現させるものであってもよい。
【００６１】
また、マルチリンク端末１０、マルチリンク通信装置３０、基地局４２、５２の各手段の機能を実現するためのプログラムをコンピュータ読み取り可能な記録媒体に記録して、この記録媒体に記録されたプログラムをコンピュータシステムに読み込ませ、実行することによりマルチリンク端末１０、マルチリンク通信装置３０、基地局４２、５２の各手段の処理を行ってもよい。なお、ここでいう「コンピュータシステム」とは、ＯＳや周辺機器等のハードウェアを含むものとする。
【００６２】
また、「コンピュータシステム」は、ＷＷＷシステムを利用している場合であれば、ホームページ提供環境（あるいは表示環境）も含むものとする。
【００６３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００６４】
【図１】本第１実施形態による、無線通信システムＡと無線通信システムＢとが利用可能なマルチリンク通信システムの構成例を示すブロック図である。
【図２】本第１実施形態による基地局４２、５２の一構成例を示すブロック図である。
【図３】本第１実施形態によるマルチリンク通信装置３０の一構成例を示すブロック図である。
【図４】本第１実施形態によるマルチリンク端末１０の一構成例を示すブロック図である。
【図５】本第１実施形態によるマルチリンク端末１０の動作を説明するためのフローチャートである。
【図６】本第１実施形態による基地局４２、５２の動作を説明するためのフローチャートである。
【図７】本第１実施形態によるマルチリンク通信装置３０の動作を説明するためのフローチャートである。
【図８】本第１実施形態によるマルチリンク通信装置３０の動作を説明するためのフローチャートである。
【図９】本第２実施形態によるマルチリンク端末１０の動作を説明するためのフローチャートである。
【図１０】本第２実施形態による基地局４２、５２の動作を説明するためのフローチャートである。
【図１１】本第２実施形態による、基地局機能の構成例、及び基地局機能の変更例を説明するための概念図である。
【図１２】本第２実施形態によるマルチリンク通信装置３０の動作を説明するためのフローチャートである。
【図１３】本第２実施形態によるマルチリンク通信装置３０の動作を説明するためのフローチャートである。
【図１４】従来技術による、マルチリンク無線通信システムの構成例を示すブロック図である。
【図１５】従来のマルチリンク通信を行う際のマルチリンク端末１の動作を説明するためのフローチャートである。
【図１６】従来のマルチリンク通信のマルチリンク通信装置３の動作を説明するためのフローチャートである。
【符号の説明】
【００６５】
２…インターネット
４…無線通信システムＡ
５…無線通信システムＢ
１０…マルチリンク端末
３０…マルチリンク通信装置
４０、５０…制御局
４２、５２…基地局
５００…ハードウェアリソース管理手段（リソース管理手段）
５０２…基地局情報取得手段
５０４…基地局機能手段
５０６…基地局情報通信手段
５０８…ネットワークインタフェース
６００…無線リンク決定手段（無線リンク決定手段、サービス提供可否判定手段、基地局機能変更追加要求手段）
６０２…マルチリンク通信手段（受信手段）
６０４…ネットワークインタフェース
６０６…無線基地局通信手段
６０８…基地局情報管理テーブル
７００…端末情報通知手段
７０２…無線通信デバイス
７０４…マルチリンク通信手段
７０６…サービス品質解析手段（サービス要求条件取得手段）
【図１】
2008245031.tif 000003
【図２】
2008245031.tif 000004
【図３】
2008245031.tif 000005
【図４】
2008245031.tif 000006
【図５】
2008245031.tif 000007
【図６】
2008245031.tif 000008
【図７】
2008245031.tif 000009
【図８】
2008245031.tif 000010
【図９】
2008245031.tif 000011
【図１０】
2008245031.tif 000012
【図１１】
2008245031.tif 000013
【図１２】
2008245031.tif 000014
【図１３】
2008245031.tif 000015
【図１４】
2008245031.tif 000016
【図１５】
2008245031.tif 000017
【図１６】
2008245031.tif 000018